(57)【特許請求の範囲】
【請求項１】
柔軟性のある材料で形成され底を有する中空筒の目地材本体の上方開放口を、上下に長く下端部が前記目地材本体の底近くまで延長された空気抜きパイプと充填材注入パイプとを備えた蓋により密閉し、前記充填材注入パイプを用いて上方から目地材本体内へ圧力をかけて充填材を注入し、注入時の充填材によって上から押圧される逃げ場のない下部の内部空気を空気抜きパイプを介して外へ排気しながら充填材の注入を行なうことを特徴とする止水用目地材の充填材注入方法。
【請求項２】
空気抜きパイプ及び充填材注入パイプ並びに蓋は、充填材注入完了後に、目地材本体から取外すことを特徴とする請求項１記載の止水用目地材の充填材注入方法。
【発明の詳細な説明】
【０００１】
【発明の属する技術分野】
この発明は、ケーソンとケーソンの間をシールするのに適する止水用目地材の充填材注入方法に関する。
【０００２】
【従来の技術】
従来、コンクリート躯体から成るケーソンを利用して、例えば、堤防造成等を行なう時に、ケーソンとケーソンの間の目地部は、止水用目地材によってシールされる。止水用目地材は、例えば、ゴム等の柔軟性のある材料で作られた中空筒状の目地材本体内に、例えば、加熱アスファルトマスチック等の充填材を注入して作られる。
【０００３】
【発明が解決しようとする課題】
ケーソンとケーソンの間をシールする止水用目地材は、ケーソン自体が大きい所から長いもので、例えば、１５ｍにも達する。そのシール作業は、例えば、図８に示すように上下に長いケーソン１０１とケーソン１０１の目地部１０３に沿って目地材本体１０５をセットし、その目地材本体１０５の上方開放口から充填材１０７を注入する手段がとられている。
【０００４】
この注入作業時、ケーソン１０１とケーソン１０１の間にセットされた水面Ｐ下の目地材本体１０５は、水圧によって押し潰された状態となるため、上から注入される充填材１０７の比重で徐々に水圧に抗して押し拡げられることで、上から下へ向かって充填材１０７の注入が行なわれるため、迅速な注入は望めず時間がかる。特に、自然落下させるために、充填材１０７の比重は１．９以上となるような配合が必要となり、配合に制約を受ける不具合を招いている。
【０００５】
また、目地材本体１０５は上下に長いところから、上方開放口から充填材１０７を注入する時に、上方を塞ぐかたちとなるため、内部の空気は、上方から逃げられずに閉じ込められる結果、注入時の阻止要因として働き、水圧と相俟って充填材１０７は容易に下降せず、注入時間をさらに遅らせ、作業能率の低下を招いているのが現状となっている。
【０００６】
そこで、この発明にあっては、上下に長い止水用目地材に対して迅速に充填材の注入が行なえるようにした止水用目地材の充填材注入方法を提供することを目的としている。
【０００７】
【課題を解決するための手段】
前記目的を達成するために、この発明によれば、柔軟性のある材料で形成され底を有する中空筒の目地材本体の上方開放口を、上下に長く下端部が前記目地材本体の底近くまで延長された空気抜きパイプと充填材注入パイプとを備えた蓋により密閉し、前記充填材注入パイプを用いて上方から目地材本体内へ圧力をかけて充填材を注入し、注入時の充填材によって上から押圧される逃げ場のない下部の内部空気を空気抜きパイプを介して外へ排気しながら充填材の注入を行なうことを特徴とする。
【０００８】
これにより、充填材注入パイプによって目地材本体内へ充填材を注入する。この時、充填材は圧力によって強制的に注入されると共に、注入時に充填材によって上から押圧される逃げ場のない下部の内部空気を、空気抜きパイプを介して外へ排気するため、障害がなくなり円滑・迅速に注入作業が行なえる。しかも、充填材の比重が１．１以上あれば注入が可能となり、充填材の配合自由度の向上が図れる。一方、注入完了後、膨らんだ止水用目地材は、目地部と圧着し合うと共に、波等の影響でケーソンが動いても、その動きに追従して弾性変形し、良好なシール性を確保する。
【０００９】
また、この発明の請求項２によれば、空気抜きパイプ及び充填材注入パイプ並びに蓋は、充填材注入完了後に、目地材本体から取外す。
【００１０】
これにより、止水用目地材として何等支障なく使用できると共に、各パイプと共に取外した蓋を、新たな目地材本体に装着することで、無駄なく繰返し注入作業に使用できる。
【００１３】
【発明の実施の形態】
以下、図１乃至図３の図面を参照しながら、この発明の第１の実施形態について具体的に説明する。
【００１４】
図２において、１はケーソン３とケーソン３の間の目地部５に設けられたシール孔７をシールする止水用目地材１を示しており、止水用目地材１は、目地材本体９内に充填材１１が注入，充填された形状となっている。
【００１５】
目地材本体９は、不透水性のゴム又は合成樹脂等からなる柔軟性の材質により、底のある上下に長い中空筒の形状に作られている。
【００１６】
目地材本体９の上方開放口９ａは、図１に示すように充填材１１の注入時に、充填材注入パイプ１３及び空気抜きパイプ１５を有する蓋１７によって密閉され、締結バンド１９を弛めることで、各パイプ１３，１５と共に蓋１７の取外しが可能となっている。
【００１７】
なお、充填材注入パイプ１３は、図外のポンプによって充填材１１を強制的に送り込む供給パイプ２１と接続連通している。
【００１８】
空気抜きパイプ１５は、上下に長い形状となっていて一方の下端部は目地材本体９の底近くまで延長され、他方の上端部は蓋１７から外方へ延長している。
【００１９】
充填材１１は、セメントコンクリート，セメントモルタル，砂＋水、加熱アスファルトマスチック、常温ＣＥスラリーなどの材料を単独又は組合せて使用されるようになっている。
【００２０】
次に、充填材１１の注入方法について説明する。
【００２１】
まず、上下に長い目地材本体９をケーソン３とケーソン３の間の目地部５に設けられたシール孔７内に上から挿入セットする。次に、目地材本体９の上方開放口９ａを、充填材注入パイプ１３及び空気抜きパイプ１５を有する蓋１７で栓をし、その蓋１７の外周を目地材本体９の上から締結バンド１９によって締結し、密閉する。
【００２２】
次に、充填材注入パイプ１３によって充填材１１を強制的に目地材本体９の上から注入する。この注入時において、充填材１１は圧力の作用を受けて水面Ｐ下にある目地材本体９を水圧に抗して押し拡げると共に、図１に示すように上からの充填材１によって押圧される逃げ場のない下部の内部空気は空気抜きパイプ１５を介して外へ排出される。このため、上から下に向かって充填していく注入動作に何等支障は起こらず、迅速に充填材１１の注入が完了する。しかも、充填材１１の比重が１．１以上あれば注入が可能となるため充填材１１の配合自由度の向上が図れる。
【００２３】
一方、充填材完了後に膨らんだ止水用目地材１は、シール孔７と圧着し合うと共に、波等の影響でケーソン３が動いてもその動きに追従して弾性変形し、良好なシール性を長期間に亘って確保する。
【００２４】
図４から図７は充填材注入方法の第２の実施形態を示したものである。
【００２５】
なお、第１の実施形態と同一のものは同一符号を符して説明する。
【００２６】
始めに、上下に長い目地材本体９を透水性の材質で形成すると共に、ケーソン３とケーソン３の間の目地部５に設けられたシール孔７内に挿入しセットする。次に、充填材注入パイプ２１の先端を、目地材本体９内の底近くまで挿入した後、充填材注入パイプ２１の先端から充填材１１を底に注入する。以下、図５，図６に示すように充填材注入パイプ２１を引上げながら底から上へ向かって順次、注入していく。この注入時において、水面Ｐ下の目地材本体９は水を透すため、水圧によって強く押し潰されることはなく、しかも、内部の空気及び海水は、上方開放口９ａ及び上方開放口９の側壁から外へ逃げるようになるため、注入時にアーチング等の大きな障害は起こらず、円滑・迅速に注入作業が完了する。しかも、充填材１１の比重は１．１以上あれば、注入が可能となるため、充填材１１の配合自由度が増すようになる。
【００２７】
一方、注入完了後、膨らんだ止水用目地材１はシール孔７と圧着し合うと共に、波等の影響でケーソン３が動いても、その動きに追従して弾性変形し、良好なシール性を長期間にわたって確保する。
【００２８】
なお、止水用目地材１は、目地部５に設けたシール孔７に挿入してシールを行なう実施形態となっているが、ケーソン３が波等の影響で動いて、目地部５が大きく拡大した場合には、目地部に直接、止水用目地材を挿入してシールを行なうようにすることも可能である。
【００２９】
又、目地本体９をケーソン３に事前に陸上で設置しておき、それらケーソンを設置した後、本方法を実施することで止水用目地材１を形成することも可能である。
【００３０】
コンクリートケーソンの目地止水工だけでなく、鋼製矢板の継手部の止水工にも実施することも可能である。
【００３１】
【発明の効果】
以上、説明したようにこの発明の充填材注入方法によれば、充填材の注入時に上から押圧される逃げ場のない下部の内部空気を外へ排出できるため、充填材を円滑・迅速に充填することができる。しかも、充填材の配合自由度の向上が図れる。
【図面の簡単な説明】
【図１】この発明にかかる充填材注入時の説明図。
【図２】注入完了時の説明図。
【図３】ケーソンとケーソンの間の目地部に設けられたシール孔内に止水用目地材を挿入セットした一部分の説明斜視図。
【図４】充填材注入方法の第２の実施形態を示した動作説明図。
【図５】第２の実施形態の注入動作途中の説明図。
【図６】第２の実施形態の注入動作途中の説明図。
【図７】第２の実施形態の注入動作完了時の説明図。
【図８】従来例の注入動作時の説明図。
【符号の説明】
１  止水用目地材
９  目地材本体
９ａ  上方開放口
１１  充填材
１３  充填材注入パイプ
１５  空気抜きパイプ
１７  蓋
【図１】
0004382231.tif 000002
【図２】
0004382231.tif 000003
【図３】
0004382231.tif 000004
【図４】
0004382231.tif 000005
【図５】
0004382231.tif 000006
【図６】
0004382231.tif 000007
【図７】
0004382231.tif 000008
【図８】
0004382231.tif 000009